(57)【要約】      （修正有）【課題】バルブやノズルの構成に依存することなく高ガス濃度の炭酸水を供給することができる、炭酸飲料ディスペンサを提供する。【解決手段】炭酸飲料ディスペンサは、炭酸水経路の途中にバルブおよびノズルとは独立して設けられる減圧機構１を備えている。減圧機構１は、炭酸水経路の一部を構成する流体通路２１、３１を備えている。流体通路２１、３１の途中には、当該流体通路２１、３１よりも大きな内径を有する収容空間３２が形成されている。収容空間３２には、当該収容空間３２よりも小さい外径を有する抵抗体５が挿入されている。収容空間３２の内周と抵抗体５の外周との間には、間隙Ｘが形成されている。また、抵抗体５における収容空間３２の端面Ｙと接する面５１には、抵抗体５の中心から外周に向けて広がる複数の切り欠き溝が形成されている。【選択図】図３
2019043619.tif 000002
【特許請求の範囲】
【請求項１】
炭酸水経路の途中にバルブおよびノズルとは独立して設けられる減圧機構を備える、炭酸飲料ディスペンサ。
【請求項２】
前記減圧機構は、前記炭酸水経路の一部を構成する流体通路を備え、
前記流体通路の途中には、該流体通路よりも大きな内径を有する収容空間が形成され、
前記収容空間には、該収容空間よりも小さい外径を有する抵抗体が挿入され、
前記収容空間の内周と前記抵抗体の外周との間には間隙が形成される、請求項１に記載の炭酸飲料ディスペンサ。
【請求項３】
前記抵抗体における前記収容空間の端面と接する面には、前記抵抗体の中心から外周に向けて広がる複数の切り欠き溝が形成される、請求項２に記載の飲料ディスペンサ。
【発明の詳細な説明】
【技術分野】
【０００１】
この発明は、炭酸飲料ディスペンサに係り、特に炭酸水を減圧するための減圧機構を備える炭酸飲料ディスペンサに関する。
【背景技術】
【０００２】
通常の炭酸飲料ディスペンサには、炭酸水経路の途中に減圧機構が設けられている。この減圧機構がないと、炭酸水の注出時の圧力降下に伴って炭酸水に加えられる動揺が激しくなり、炭酸水中における水と二酸化炭素との結合が弱まって二酸化炭素が逃げ出してしまい、炭酸水のガス濃度が低下してしまう。
【０００３】
特許文献１には、バルブとノズルとが一体化したポストミクスバルブの内部に減圧機構が設けられた発明が記載されている。特許文献１の発明では、バルブ本体の内部に挿入された円筒形状の抵抗体（コーン）の外周面とバルブ本体との間の空隙によって減圧機構が形成されている。
【先行技術文献】
【特許文献】
【０００４】
【特許文献１】特開２０１７−１００７６９号公報
【発明の概要】
【発明が解決しようとする課題】
【０００５】
しかしながら、特許文献１の発明はポストミクスバルブの内部に減圧機構を設ける構成であるため、他の種類のポストミクスバルブを使用する場合には、高ガス濃度の炭酸水を得ることができない。また、バルブとノズルとが別構成の炭酸飲料ディスペンサの場合にも同様である。
【０００６】
この発明は、このような問題を解決するためになされたものであり、バルブやノズルの構成に依存することなく高ガス濃度の炭酸水を供給することができる、炭酸飲料ディスペンサを提供することを目的とする。
【課題を解決するための手段】
【０００７】
上記の課題を解決するために、この発明に係る炭酸飲料ディスペンサは、炭酸水経路の途中にバルブおよびノズルとは独立して設けられる減圧機構を備える。
【０００８】
好適には、減圧機構は、炭酸水経路の一部を構成する流体通路を備え、流体通路の途中には、当該流体通路よりも大きな内径を有する収容空間が形成され、収容空間には、当該収容空間よりも小さい外径を有する抵抗体が挿入され、収容空間の内周と抵抗体の外周との間には間隙が形成される。
【０００９】
さらに好適には、抵抗体における収容空間の端面と接する面には、抵抗体の中心から外周に向けて広がる複数の切り欠き溝が形成される。
【発明の効果】
【００１０】
この発明に係る炭酸飲料ディスペンサによれば、バルブやノズルの構成に依存することなく高ガス濃度の炭酸水を供給することができる。
【図面の簡単な説明】
【００１１】
【図１】この発明の実施の形態に係る炭酸飲料ディスペンサの減圧機構の外観図である。
【図２】この発明の実施の形態に係る炭酸飲料ディスペンサの減圧機構の分解図である。
【図３】この発明の実施の形態に係る炭酸飲料ディスペンサの減圧機構の断面図である。
【図４】この発明の実施の形態に係る炭酸飲料ディスペンサの減圧機構の抵抗体の詳細図である。
【図５】この発明の実施の形態に係る炭酸飲料ディスペンサの第１の構成例を示す図である。
【図６】この発明の実施の形態に係る炭酸飲料ディスペンサの第２の構成例を示す図である。
【発明を実施するための形態】
【００１２】
以下、この発明の実施の形態について添付図面に基づいて説明する。
実施の形態．
図１〜３に示されるように、この発明の実施の形態に係る飲料ディスペンサに使用される減圧機構１は、円筒状のケーシング２、３を備えており、ケーシング２、３の内部には、炭酸水が流通する流体通路２１、３１がそれぞれ形成されている。
【００１３】
ケーシング２において、流体通路２１の一端は減圧機構１の入口１１になっており、流体通路２１の他端には末広がりのテーパ部２２が形成されている。また、ケーシング２の一端の外周部には雄ねじ部２３が形成されており、ケーシング２の他端の外周部にはＯリング４が取り付けられている。
【００１４】
一方、ケーシング３において、流体通路３１の一端には、当該流体通路３１よりも大きな内径を有する円柱形状の収容空間３２が形成されている。収容空間３２には、当該収容空間３２よりも僅かに小さい外径を有する円柱状の抵抗体５が挿入されており、収容空間３２の内周と抵抗体５の外周との間には、間隙Ｘが形成されている。なお、抵抗体５の軸方向の長さは、収容空間３２の軸方向の長さよりも僅かに短くなるように形成されている。
【００１５】
また、抵抗体５における収容空間３２の端面Ｙと接する面５１には、抵抗体５の中心から外周に向けて放射状に広がる複数の切り欠き溝５２が形成されている（図４参照）。また、流体通路３１の他端は減圧機構１の出口１２になっている。さらに、ケーシング３の他端の外周部には雄ねじ部３３が形成されている。
【００１６】
減圧機構１の組み立ては、ケーシング２の他端とケーシング３の一端とが嵌合され、クイックファスナ６によって締結されることによって行われる。減圧機構１は、炭酸飲料ディスペンサの炭酸水経路の途中に、バルブやノズルとは独立して直列に接続され、入口１１から炭酸水が流入して出口１２から流出する。
【００１７】
減圧機構１の入口２１から高ガス濃度の炭酸水が流入すると、炭酸水は流体通路２１を通ってテーパ部２２で広がった後、抵抗体５の外周面と収容空間３２の内周面との間の間隙Ｘを流通する。炭酸水は、間隙Ｘを流通する過程でその流速が減速され、ゆっくり静かに減圧される。その結果、炭酸水の動揺が抑制されて水と二酸化炭素との結びつきの乱れが軽減されるため、炭酸水は高ガス濃度かつ低圧の状態で、流体通路３１を通って出口１２から流出する。
【００１８】
なお、減圧機構１の入口１１から炭酸水が流入すると、抵抗帯５は入口側からの水圧を受けて、収容空間３２の端面Ｙに押し付けられる。この際、抵抗体５の面５１が平面であると、炭酸水の流通が妨げられてしまうが、先述したように、抵抗体５の面５１には複数の切り欠き溝５２が形成されているため、炭酸水はこれら複数の切り欠き溝５２を通ってスムーズに流れることができる。
【００１９】
図５には、上記の減圧機構１を、ポストミクスバルブを有する炭酸飲料ディスペンサに適用した例が示されている。炭酸水経路７０の途中には、カーボネータ７１が設けられており、炭酸水経路７０の末端は、流量調整バルブ７２ａ、７２ｂとノズル７２ｃとが一体化したポストミクスバルブ７２の一方のバルブ７２ａに接続されている。また、原料経路７３の末端は、ポストミクスバルブ７２の他方のバルブ７２ｂに接続されている。減圧機構１は、炭酸水経路７０におけるカーボネータ７１とポストミクスバルブ７２との間に接続されている。
【００２０】
また、図６には、上記の減圧機構１を、バルブとノズルとが独立した炭酸飲料ディスペンサに適用した例が示されている。炭酸水経路８０の途中には、カーボネータ８１と流量調整バルブ８２とが設けられており、炭酸水経路８０の末端は、ノズル８３に接続されている。また、原料経路８４の途中には流量調整バルブ８５が設けられており、原料経路８４の末端は、ノズル８３に接続されている。減圧機構１は、炭酸水経路８０における流量調整バルブ８２とノズル８３との間に接続されている。
【００２１】
以上説明したように、この発明の実施の形態に係る炭酸飲料ディスペンサの減圧機構１は、炭酸水経路の途中にバルブやノズルとは独立して設けられる。これにより、バルブやノズルの構成に依存することなく、高ガス濃度の炭酸水を供給することができる。
【００２２】
なお、先述したように、減圧機構１の両端には雄ねじ部２３、３３が形成されており、炭酸水経路の任意の位置に汎用ねじによって取り付けることができる。そのため、既製品の炭酸飲料ディスペンサの炭酸水回路のチューブを適当な箇所で切断して、簡単に取り付けることができる。
【００２３】
また、炭酸水のガス濃度と流量は抵抗体５の外径寸法に影響されるが、ケーシング２と３とは簡単に分解して抵抗体５を取り出すことができるため、所望の寸法で作成した抵抗体への交換も極めて容易である。
【符号の説明】
【００２４】
１  減圧機構、２１  流体通路、３１  流体通路、３２  収容空間、５  抵抗体、５２  切り欠き溝、７０，８０  炭酸水経路、７２ａ，８２  バルブ、７２ｃ，８３  ノズル、Ｘ  間隙。
【図１】
2019043619.tif 000003
【図２】
2019043619.tif 000004
【図３】
2019043619.tif 000005
【図４】
2019043619.tif 000006
【図５】
2019043619.tif 000007
【図６】
2019043619.tif 000008